(57)【要約】【課題】大型化することなく集札券の収納枚数を増加可能であるとともに、集札券の検索が容易な改札機、および改札機の集札処理方法を提供する。【解決手段】実施形態によれば、改札機は、券媒体を搬送路に沿って搬送する搬送機構と、券媒体から情報を読取る処理装置と、処理装置により回収券と判断された券媒体を振分ける第１振分け機構と、それぞれ回収券を収納する複数の一旦保留箱であって、独立して引き出し可能に支持された複数の一旦保留箱８２ａ、８２ｂと、券媒体をいずれかの一旦保留箱に振分ける第２振分け機構と、各一旦保留箱の引き出し、装着を検知する装填検知センサと、各一旦保留箱の券媒体収納状態を検知する収納検知センサ１１０ａ、１１０ｂと、複数の一旦保留箱の下方に配置され、一旦保留箱から投下された券媒体を堆積する集札箱８３と、一旦保留箱が引き出され、再装着された際、検知された各一旦保留箱の券媒体収納状態に応じて、次に券媒体を収納する一旦保留箱を選定する制御部と、を備える。【選択図】図７
2014127039.tif 000002
【特許請求の範囲】
【請求項１】
券媒体を投入する投入口と、
投入された券媒体を搬送路に沿って搬送する搬送機構と、
前記搬送路に設けられ、前記投入された券媒体から情報を読取る処理装置と、
前記搬送路に設けられ、前記処理装置により回収券と判断された券媒体を振分ける第１振分け機構と、
それぞれ回収券を収納する複数の一旦保留箱であって、独立して引き出し可能に支持された複数の一旦保留箱と、
前記第１振分け機構により振分けられた券媒体を前記複数の一旦保留箱のいずれかに振分ける第２振分け機構と、
前記各一旦保留箱の引き出しおよび装着を検知する装填検知センサと、
前記一旦保留箱の各々の券媒体収納状態を検知する収納検知センサと、
前記複数の一旦保留箱の下方に配置され、前記一旦保留箱から投下された券媒体を堆積する集札箱と、
前記一旦保留箱が引き出され、再装着された際、前記収納検知センサにより検知された各一旦保留箱の券媒体収納状態に応じて、次に券媒体を収納する一旦保留箱を選定する制御部と、
を備える改札機。
【請求項２】
前記一旦保留箱の底蓋を開放し、前記一旦保留箱内に収納した券媒体を前記集札箱に投下する開閉機構を備えている請求項１に記載の改札機。
【請求項３】
前記収納検知センサは、前記各一旦収納箱内の券媒体の満杯を検知するエンド検知センサと、満杯よりも少ない量のニアエンドを検知するニアエンド検知センサと、を含み、
前記制御部は、前記エンド検知センサとニアエンド検知センサの検知状態に応じて、次に券媒体を収納する一旦保留箱を選定する請求項１又は２に記載の改札機。
【請求項４】
前記制御部は、前記エンド検知センサにより、前記券媒体を収納している一旦収納箱の満杯が検知された際、前記開閉機構により他の一旦収納箱の底蓋を開放して前記集札箱に券媒体を投下した後、前記他の一旦保留箱を選定し、前記他の一旦保留箱に次の券媒体を収納する請求項３に記載の改札機。
【請求項５】
前記制御部は、前記一旦保留箱が再装填された際、前記一旦保留箱が引き出される前に使用していた一旦保留箱の券媒体収納状態が満杯で無い場合、前記一旦保留箱が引き出される前に使用していた一旦保留箱を優先的に選定する請求項１ないし４のいずれか１項に記載の改札機。
【請求項６】
改札機における券媒体の集札処理方法であって、
投入された券媒体から情報を読み取り、回収券であるかを判断し、
回収券であると判断された券媒体を複数の一旦保留箱の中の選定された１つの一旦保留箱に送って順次収納し、
前記選定された１つの一旦保留箱が満杯になった際、他の一旦保留箱を選定し、回収券であると判断された券媒体を前記他の一旦保留箱に送って順次収納し、
前記複数の一旦保留箱が満杯になった際、最も古い券媒体を収納している一旦保留箱の底蓋を開放して、一旦保留箱内の券媒体を下方に設置された集札箱内に投下し、
前記券媒体の収納動作の間、少なくとも１つの一旦保留箱が引き抜かれた際、装置の運転を停止し、前記引き抜かれた一旦保留箱が再装填された際、各一旦保留箱内の券媒体の収納状態を検知し、
前記検知した収納状態に応じて、次に券媒体を収納する一旦保留箱を選定し、
装置を再稼動して、前記選定された一旦保留箱に券媒体を収納する
集札処理方法。
【請求項７】
前記一旦保留箱が再装填された際、前記一旦保留箱が引き出される前に使用していた一旦保留箱の券媒体収納状態が満杯で無いと検知された場合、前記一旦保留箱が引き出される前に使用していた一旦保留箱を選定する請求項６に記載の集札処理方法。
【発明の詳細な説明】
【技術分野】
【０００１】
この発明の実施形態は、回収した券を収容する集札機能を有する改札機、および改札機の集札処理方法に関する。
【背景技術】
【０００２】
近年、改札処理の省力化を目的として、改札機（自動改札機）が導入されている。この改札機は、利用者が駅構内や遊戯施設などの施設内に入場する場合や、施設内から出場する場合などに、入場券、プリペイドカード、定期券、乗車券、搭乗券などの磁気式の券媒体を取り込み、券媒体に磁気記録された改札情報に基づいて利用者の通行を許可するか否かの改札処理を行う。改札機は、改札情報の読み取り結果に基づき、運賃不足、期限切れ、区間外乗車等の理由から改札否と判定すると、ドアの開閉を制御し乗客を駅構内に入場させない、駅構外に出場させない、または乗り換えを許可しないようにする。取り込んだ券媒体は、必要に応じて返却または回収される。
【０００３】
また、複数枚の券媒体に対応する自動改札機が知られている。このような複数枚対応の自動改札機は、一人の乗客から投入される複数枚の券媒体（磁気券）を受取り、各磁気券に記憶された乗車情報を読み取り、入出上の改札可否を複合的に判断し、磁気券を返却または回収する。
【０００４】
乗換改札機を通って他線に乗り換えるつもりの旅客が、間違って出場改札機に使用券と前途券を投入した場合、集札された前途券は集札箱に集札され所定時間保存される。そして、旅客が取り忘れに気が付いた場合、駅員は、改札機から集札箱を引き抜き、箱内の回収券から前途券を捜索することができる。
【先行技術文献】
【特許文献】
【０００５】
【特許文献１】特開平７−２８２３０３号公報
【特許文献２】特開平７−１０５４１２号公報
【特許文献３】特開２００１−２４３５０７号公報
【発明の概要】
【発明が解決しようとする課題】
【０００６】
しかしながら、改札機において、集札される券は、搬送部から自重落下で集札箱に堆積するため、集札箱内で偏って堆積してしまい、本来予定した集札容量に達する前に集札箱が満杯になってしまう場合がある。  
乗換改札機を通って乗り換える旅客が、間違って出場用改札機を利用して前途券が集札されるケースが多い。このようなとき、駅員が集札箱から該当の前途券を捜索するため、駅員には面倒な作業であり、また、探索中旅客を待たせるため、旅客にも迷惑が掛かる。
【０００７】
この発明は、上述した問題点に鑑みなされたものであって、その課題は、大型化することなく集札券の収納枚数を増加可能であるとともに、集札券の検索が容易な改札機、および、改札機の集札処理方法を提供することにある。
【課題を解決するための手段】
【０００８】
実施形態によれば、改札機は、券媒体を投入する投入口と、投入された券媒体を搬送路に沿って搬送する搬送機構と、前記搬送路に設けられ、前記投入された券媒体から情報を読取る処理装置と、前記搬送路に設けられ、前記処理装置により回収券と判断された券媒体を振分ける第１振分け機構と、それぞれ回収券を収納する複数の一旦保留箱であって、独立して引き出し可能に支持された複数の一旦保留箱と、前記第１振分け機構により振分けられた券媒体を前記複数の一旦保留箱のいずれかに振分ける第２振分け機構と、前記各一旦保留箱の引き出しおよび装着を検知する装填検知センサと、前記一旦保留箱の各々の券媒体収納状態を検知する収納検知センサと、前記複数の一旦保留箱の下方に配置され、前記一旦保留箱から投下された券媒体を堆積する集札箱と、前記一旦保留箱が引き出され、再装着された際、前記収納検知センサにより検知された各一旦保留箱の券媒体収納状態に応じて、次に券媒体を収納する一旦保留箱を選定する制御部と、を具備している。
【図面の簡単な説明】
【０００９】
【図１】図１は、実施形態に係る改札システムの構成を概略的に示すブロック図。
【図２】図２は、実施形態に係る改札機の外観を示す斜視図。
【図３】図３は、前記改札機の内部構造を概略的に示す側面図。
【図４】図４は、前記改札機の制御系の構成を概略的に示すブロック図。
【図５】図５は、券媒体を集札部４０へ搬送、投入する集札搬送機構を拡大して示す側面図。
【図６】図６は、集札部４０の外観を示す側面図。
【図７】図７は、集札部の振分けシュート、一旦保留箱および集札箱を示す側面図。
【図８】図８は振分けシュートおよび一旦保留箱を示す斜視図。
【図９】図９は、図８と異る方向から見た振り分けシュートおよび一旦保留箱を示斜視図。
【図１０】図１０は、一旦保留箱の背面側、開閉機構、各種センサを示す背面図。
【図１１】図１１は一旦保留箱の側面側、開閉機構、各種センサを示す背面図。
【図１２】図１２は、底蓋が開放した状態における一旦保留箱の背面側、開閉機構、各種センサを示す背面図。
【図１３】図１３は、底蓋が開放した状態における一旦保留箱の側面側、開閉機構、各種センサを示す側面図。
【図１４】図１４は、前記改札機の投入券媒体の処理動作を示すフローチャート。
【図１５Ａ】図１５Ａは、前記改札機の集札処理動作を示すフローチャート。
【図１５Ｂ】図１５Ｂは、前記改札機の集札処理動作を示すフローチャート。
【図１６】図１６は、一旦保留箱の再装填後における券媒体の収納先選定条件を示す図。
【図１７】図１７は、一旦保留箱の再装填後における券媒体の他の収納先選定条件を示す図。
【図１８Ａ】図１８Ａは、他の実施形態に係る改札機の集札処理動作を示すフローチャート。
【図１８Ｂ】図１８Ｂは、他の実施形態に係る改札機の集札処理動作を示すフローチャート。
【発明を実施するための形態】
【００１０】
以下、この発明の実施形態に係る改札機及び集札処理方法について図面を参照して説明する。
【００１１】
図１は、本実施形態に係る改札機を備えた改札システム全体を示している。図１に示すように、改札システムは、改札機制御装置として機能するホストコンピュータ１０を備えている。このホストコンピュータ１０は、例えば、駅あるいは空港の搭乗口に設置された複数の改札機１００−１、１００−２…と通信回線２０を介して接続され、これらの改札機１００を監視する。
【００１２】
ホストコンピュータ１０は、装置全体を制御するとともに下位に接続された各種機器を制御するものであって、複数の改札機１００を統括して制御するＣＰＵ１１を有している。このＣＰＵ１１には、メモリ部１２、表示部１３、入力部１４、通信制御部１５などが接続されている。
【００１３】
メモリ部１２は、ホストコンピュータ１０自体及び改札機１００などの下位の機器を制御するための制御データを含む各種データを記憶している。表示部１３は、ホストコンピュータ１０自体の動作状態、下位の機器の動作状態などを表示する。入力部１４は、各改札機１００の動作モードなど種々の情報を入力するためのキーボードや、接触を検知したのに基づいて対応する情報を出力するタッチパネルなどを有している。通信制御部１５は、下位の機器との間で通信回線２０を介して種々の情報の送受信を行う。
【００１４】
次に、改札システムに適用可能な改札機１００の構成について説明する。図２は改札機１００の外観を示している。図２に示す改札機は、通常、２台１組として設置され、両者の間に利用者が通行可能な改札通路が形成される。入場処理や出場処理どの改札処理を行う改札機で利用可能な券媒体としては、通信部を有した無線式の第１券媒体およびバーコードが記載された非接触式の第２券媒体、券面に改札情報が印字され裏面に磁気情報が記録された磁気券媒体を対象とし、より具体的には、普通乗車券、定期券、特急券、回数券、入場券、搭乗券、プリペイドカードなどの磁気券媒体、並びに非接触式および無線式の券媒体（無線ＩＣカード）を対象としている。
【００１５】
図２に示すように、改札機１００は、たとえば、細長い偏平は矩形壁状の機器本体１を備えている。機器本体１は、投入口２、放出口３、表示灯４、表示部５、開閉自在なドア１６、券媒体がかざされる読取り領域６ａに設けられた読取り装置（リーダー）６、スピーカ７、改札機の設定を変更するための操作盤８、人の通過を検知する複数の通過検知器９等を備えている。
【００１６】
投入口２は、機器本体１における改札通路の上流側に設けられ、施設内への入場時または施設内からの出場時に投入された券媒体を受け取り可能である。投入口２の近傍には、券媒体の投入を阻止するためのシャッタ１７（図３参照）が設けられている。また、放出口３は、機器本体1における改札通路の下流側に設けられ、投入口２から受け取った券媒体を必要に応じて排出する。
【００１７】
読取り装置６は、機器本体１における改札通路の上流側に配置され、読取り領域６ａにかざされた券媒体から情報を読取る。この読取り装置６は、無線アンテナを有し、無線式の券媒体との間で無線通信を行い券媒体から改札情報を読取るとともに、券媒体に所望の情報を書き込む無線リーダー／ライタ、バーコードの付された券媒体から非接触で２次元バーコードを読取るバーコードリーダー等を備えている。
【００１８】
表示部５は、利用者の通行方向に対して機器本体１における放出口３の前方に配置され、利用者や係員などに対して種々の案内情報、例えば改札処理の結果に対応した案内画面を所定の表示パターンで表示する。ドア１６は、機器本体１における改札通路側の側面の両端部に配置され、利用者の通行を制御するために開閉可能に構成されている。このドア１６は、利用者の通行を可能とする場合に改札通路を開放し、また、利用者の通行を阻止する場合に改札通路を閉鎖する。
【００１９】
複数の通過検知器９は、機器本体１の改札通路側における側面部に配置され、利用者の通行を検知するための出力信号を出力する。表示灯４は、小児券、無効券、または異常券の投入や、機器の異常など装置の動作状態を報知する。
【００２０】
図３は改札機１００の内部構造を示している。図３に示すように、改札機１００は、複数の搬送ローラおよび搬送ベルトを含み投入口２から投入された券媒体を搬送路に沿って放出口３あるいは後述の集札箱へ搬送する搬送機構と、搬送路に沿って設けられた複数の機構部と、を備えている。すなわち、改札機１００は、投入口２から複数枚の一括投入された券媒体を分離する分離部３０、投入口２の後段に設けられ投入された券媒体を所定の姿勢に整位する整列部３２と、複数の読取りヘッド４５ａ、４５ｂ、４５ｃおよび書込みヘッド４６を有し、磁気券媒体の磁気データを読み書きする磁気処理部３３と、を備えている。改札機１００は、投入された券媒体の表裏判定を行う表裏判定部と、反転ポケット２９を有し、投入された券媒体が裏方向投入の際に券媒体を反転する反転部３４と、搬送される券媒体に印刷された２次元バーコードを読み取る図示しないスキャナを有したバーコード読取部と、を備えている。
【００２１】
更に、改札機１００は、券媒体を一時保留する保留部３５と、パンチ２８を有し、必要に応じて券媒体にパンチ穴を開けるパンチ部３６と、複数のサーマルヘッド２７を有し、必要に応じて券媒体の券面に印刷を行う印刷部３７と、回収券媒体を集札箱３８に集札する集札部４０と、複数枚の券媒体を重ね合わせて放出口３に一括放出する集積放出部４２と、を備えている。また、改札機１００は、ロール紙から所定のサイズの券媒体をカットして発券する発券部４１と、カットした券媒体を発券指令が出るまで待機し、指令が出たのち印刷を実施する発券印刷保留部４４と、を備えている。発券部４１は、ロール紙４７、カッター４８、このカッターを駆動するモータ５０を備えている。発券印刷保留部４４は、発券される券媒体の券面に所望の情報を印字するサーマルヘッド５２を有している。
【００２２】
更に、改札機１００は、搬送路に沿って多数設けられ、券媒体の通過を検知する複数の通過センサ５４、搬送路の分岐部にそれぞれ設けられ、券媒体の搬送方向を切換える複数の振分けゲート５３、５５、５６、５７、５８、５９、各機構部における搬送機構等を駆動する複数のモータ７０、７１、７２、７３、７４、７５、７６、搬送路における券媒体を一時的の保留するための複数のストッパ６０、６１、６２、６３、６４等を備えている。
【００２３】
図４は改札機１００の全体構成を示すブロック図である。図４に示すように、改札機１００は、装置全体の動作を制御する制御部としてのＣＰＵ２００を備えている。このＣＰＵ２００は、券媒体から読取った改札情報に基づいて改札、集札処理を行う改札制御部、さらには、無線リーダー／ライタおよびバーコードリーダーを含む読取り装置６の動作を制御する制御部として機能する。
【００２４】
ＣＰＵ２００には、制御プログラムを記憶しているＲＯＭ２０１と、券媒体から読取った情報を記録し及び制御プログラムのバッファとして情報を記録するＲＡＭ２０２と、運賃情報等を記録している運賃メモリ２０３と、読取りヘッド４５ａ、４５ｂ、４５ｃを制御する読取り回路２０４と、書込みへッド４６を制御する書込み回路２０５と、が接続されている。ＣＰＵは読み取りへッド４５ａ、４５ｂで読み取られた情報を基に改札処理を行い、利用者の改札機通過を許可できるか否かの判定を行う。
【００２５】
また、ＣＰＵ２００には、読取り領域６ａにかざされた券媒体の２次元バーコードを読取るバーコードリーダーおよび無線リーダー／ライタを有する読取り部６を制御するリーダー制御回路２２７と、無線リーダー／ライタの無線アンテナ６８を介して送信するデータの変調及びアンテナ６８を介して受信したデータの復調を行う無線通信回路２２６と、とが接続されている。ＣＰＵ２００は、読取り装置６及びスキャナで読み取られた情報に基づいて改札処理を行い、利用者の改札機通過を許可できるか否かの判定を行う。
【００２６】
更に、ＣＰＵ２００には、振分けゲート５３、５５〜５９を制御する振り分け制御回路２０６と、サーマルヘッド２７、５２を制御する印刷制御回路２０７と、反転ポケット２９を駆動する反転ポケット制御回路２０９と、パンチ２８を制御するパンチ制御回路２１０と、券媒体を保留するためのストッパ６０〜６４を制御するストッパ制御回路２１１と、発券部４１のカッターを駆動するモータ７６を制御するカッター制御回路２１２と、が接続されている。
【００２７】
また、ＣＰＵ２００には、多数の通過センサ５４からの信号に基づいて券媒体の搬送状況を検知する検知回路２１３と、搬送機構を駆動するモータ７０〜７６を制御する搬送制御回路２１４と、投入口２への券媒体の投入を阻止するシャッタ１７を駆動するシャッタ駆動回路２１５とが接続されている。
【００２８】
更に、ＣＰＵ２００には、操作案内や改札処理の結果に対応した画像を表示するように表示部５を制御する表示回路２２０と、表示灯４を制御する表示制御回路２２１と、音声案内を行うスピーカ７を制御する音声制御回路２２２と、複数の通過検知器９の出力信号から利用者の通過を検知する通過検知回路２２３と、ドア１６の開閉を制御するドア制御回路２２４と、装置の各種設定を変更するための操作盤８を制御する操作盤制御回路２２５とが接続されている。また、ＣＰＵ２００には、通信制御部１５が接続されている。この通信制御部１５は、ＣＰＵ２００の制御に基づき、改札機１００より上位の機器、例えばホストコンピュータ１０との間で情報通信を行う。
【００２９】
次に、改札機１００の回収券媒体、取り忘れ券等を集札する集札部４０について詳細に説明する。図５は、券媒体を集札部４０へ搬送、投入する集札搬送機構を拡大して示す側面図、図６は、集札部４０の外観を示す側面図である。
【００３０】
図３、図５および図６に示すように、搬送機構は、磁気処理部３３により改札情報が読取られた券媒体を、放出口３あるいは集札部４０に振分ける第１振分けゲート５７と、集札部４０に向かって２つに分岐する第１集札路８０ａおよび第２集札路８０ｂと、これら集札路の分岐部に設けられ、券媒体を第１あるいは第２集札路へ振分ける第２振分けゲート５９と、を備えている。更に、搬送機構は、一旦、放出口３に放出され取り忘れられた券媒体を、後述する取り忘れ券媒体用の別集積箱に導く第３集札路８１と、券媒体を第１、第２集札路８０ａ、８０ｂ側あるいは第３集札路８１へ振分ける第３振分けゲート５３と、を備えている。
【００３１】
図７は、集札部４０のガイドシュート、一旦保留箱および集札箱を示す側面図、図８はガイドシュートおよび一旦保留箱を示す斜視図、図９は、図８と異なる方向から見たガイドシュートおよび一旦保留箱を示す斜視図である。
【００３２】
図６ないし図９に示すように、集札部４０は、並列に並んで設けられた、例えば、水平方向に並んで設けられた第１一旦保留箱８２ａおよび第２一旦保留箱８２ｂと、第１および第２集札路８０ａ、８０ｂに搬送された券媒体を第１一旦保留箱８２ａおよび第２一旦保留箱８２ｂにそれぞれ導く第１および第２ガイドシュート８４ａ、８４ｂと、第１および第２一旦保留箱の下方に配置された集札箱３８と、第１および第２一旦保留箱８２ａ、８２ｂの底を開放する底蓋開閉機構８８と、を備えている。なお、図６に示すように、第２一旦保留箱８２ｂと並んで、別集積箱８５が設けられている。この別集積箱８５には、第３集札路８１を通して送られた取り忘れ券媒体が集札される。
【００３３】
図１０は、一旦保留箱の背面側、底蓋開閉機構、各種センサを示す背面図、図１１は一旦保留箱の側面側、底蓋開閉機構、各種センサを示す背面図、図１２は、底蓋が開放した状態における一旦保留箱の背面側、開閉機構、各種センサを示す背面図、図１３は、底蓋が開放した状態における一旦保留箱の側面側、底蓋開閉機構、各種センサを示す側面図である。
【００３４】
図７ないし図１１に示すように、集札部４０は、支持フレーム８６を有し、第１および第２一旦保留箱８２ａ、８２ｂは、それぞれ独立して引き抜き可能（取り出し可能）に支持フレーム８６に支持されている。第１および第２一旦保留箱８２ａ、８２ｂの各々は、ほぼ矩形箱状に形成され、４辺の側壁、底壁（底蓋）、および上部開口を有している。前方の側壁には、取っ手８７が取り付けられている。各一旦保留箱の平面寸法は、券媒体、例えば、新幹線の乗車券を平らに積み重ねて収容可能な大きさに形成されている。
【００３５】
第１および第２一旦保留箱８２ａ、８２ｂの各々の底壁は、第１底蓋９０ａおよび第２底蓋９０ｂのほぼ半々に分割され、これらの底蓋は下方に向かって開閉可能に支持されている。すなわち、第１底蓋９０ａは、第２底蓋９０ｂと反対側の一端が枢軸９１ａにより回動自在に支持され、同様に、第２底蓋９０ｂは、第１底蓋９０ａと反対側の一端が枢軸９１ｂにより回動自在に支持されている。そして、第１および第２底蓋９０ａ、９０ｂは、枢軸９１ａ、９１ｂの回りで回動することにより、いわゆる観音開き状に開放可能となっている。第１および第２底蓋９０ａ、９０ｂは、通常、図示しないねじりばね等により付勢されて閉塞位置に保持され、一旦保留箱の底を閉じている。
【００３６】
枢軸９１ａには押圧ピン９２ａが連結されている。この押圧ピン９２ａは、枢軸９１ａに対し偏心しているとともに、一旦保留箱の背面側に突出している。押圧ピン９２ａを押圧することにより、押圧ピン９２ａは枢軸９１ａの回りで枢軸９１ａと一体に回動する。また、枢軸９１ｂには押圧ピン９２ｂが連結されている。この押圧ピン９２ｂは、枢軸９１ｂに対し偏心しているとともに、一旦保留箱の背面側に突出している。押圧ピン９２ｂを押圧することにより、押圧ピン９２ｂは枢軸９１ｂの回りで枢軸９１ｂと一体に回動する。
【００３７】
このように構成された第１、第２一旦保留箱８２ａ、８２ｂは、その上端開口がガイドシュート８４ａ、８４ｂに対向し、また、底壁が、集札箱３８の上部開口に対向した状態で、支持フレーム８６に装着している。そして、第１、第２一旦保留箱８２ａ、８２ｂは、第１、第２ガイドシュート８４ａ、８４ｂから送られた回収券媒体を受け入れ、底壁上に順次、平らに積み重ねて収納する。また、底壁を開放することにより、収納された回収券媒体を集札箱３８内に投下し、集札箱に収納する。
【００３８】
集札箱３８は、機器本体１に対して、引き出し可能に配置されている。また、集札箱３８は、矩形箱状に形成され、その上端開口は、第１および第２一旦保留箱８２ａ、８２ｂの底壁に対向している。この上端開口は、第１および第２保留箱の両方の底面積よりも大きく形成されている。なお、集札箱３８内に、第１一旦保留箱８２ａに対向する領域と、第２一旦保留箱８２ｂに対向する領域とに仕切る仕切り壁を設けてもよい。
【００３９】
図７ないし図１２に示すように、底蓋開閉機構８８は、第１、第２一旦保留箱８２ａ、８２ｂの各々の背面側で、それぞれ支持フレーム８６に支持された駆動モータ９３、この駆動モータ９３によりギア９４を介して回動される駆動軸９５と、一対のアーム９６ａ、９６ｂを介して駆動軸に支持され、駆動軸に対して偏心して位置する押圧ロッド９７と、駆動軸の回転位置、すなわち、底蓋の開閉を検知する２つの開閉検知センサ９８ａ、９８ｂと、駆動軸と一体に回動可能に駆動軸に取り付けられ、前記開閉検知センサをオン、オフするための検知カム１０２と、を備えている。
【００４０】
図１０および図１１に示すように、駆動軸９５は、ほぼ水平に、すなわち、第１、第２一旦保留箱８２ａ、８２ｂの底壁とほぼ平行に延在し、同様に、押圧ロッド９７も一旦保留箱の底壁とほぼ平行に延在している。押圧ロッド９７の軸方向両端部は、第１、第２一旦保留箱８２ａ、８２ｂの一対の枢軸９１ａ、９１ｂに設けられた押圧ピン９２ａ、９２ｂと係合可能に対向している。一旦保留箱の底蓋が閉じた状態において、押圧ロッド９７は押圧ピン９２ａ、９２ｂの上方の第１位置にあり、また、検知カム１０２は、両方の開閉検知センサ９８ａ、９８ｂをオン状態に押圧している。そして、図１２および図１３に示すように、一旦保留箱の底蓋を開放する際、駆動モータ９３により駆動軸９５を回動させ、この駆動軸に対して偏心して位置する押圧ロッド９７を駆動軸に連動して所定角度回動させると、押圧ロッドは図示の第２位置に移動し、押圧ロッドの両端部がそれぞれ押圧ピン９２ａ、９２ｂを押し下げる。このような押圧ピン９２ａ、９２ｂの移動、すなわち、枢軸回りでの回動に連動して、第１および第２底蓋９０ａ、９０ｂが下方に約９０度回動し、一旦保留箱の第１、第２底蓋９０ａ、９０ｂを開放する。検知カム１０２は、２つの開閉検知センサ９８ａ、９８ｂをオフに切換え、底蓋の開放を検知する。
【００４１】
駆動モータ９３を逆転駆動して押圧ロッド９７を第２位置から第１位置へ戻すことにより、一旦保留箱の第１および第２底蓋９０ａ、９０ｂは、ねじりばねにより閉塞位置に回動され、自動的に底が閉じされる。
【００４２】
図７ないし図１３に示すように、集札部４０は、更に、第１、第２一旦保留箱８２ａ、８２ｂ内の回収券媒体の量を検出するセンサ、および、一旦保留箱が支持フレーム８６から引き出されたこと、および、一旦保留箱が支持フレーム８６の所定位置にセットされたことを検知する装填検知センサ１０４、更に、一旦保留箱の使用状態を表示する、ここでは、点灯により使用中の一旦保留箱を表示する一対の表示灯１０６ａ、１０６ｂを備えている。表示灯１０６ａ、１０６ｂは、第１、第２一旦保留箱８２ａ、８２ｂの近傍で、例えば、第１、第２一旦保留箱８２ａ、８２ｂの下方にそれぞれ設けられている。
【００４３】
券媒体の収納量を検知するセンサとして、各一旦保留箱の上端部近傍、すなわち、上端開口近傍に設けられ、一旦保留箱を間に挟んで互いに対向して配置された一対のエンド検知（満杯検知）センサ１１０ａ、１１０ｂと、一旦保留箱の高さ方向中間部に設けられ、一旦保留箱を間に挟んで互いに対向して配置されたニアエンド検知センサ１１２ａ、１１２ｂと、を備えている。エンド検知センサ１１０ａ、１１０ｂおよびニアエンド検知センサ１１２ａ、１１２ｂは、例えば、光学センサにより構成され、検出光が回収券媒体によって遮光されることにより回収券媒体の有無を検知する。
【００４４】
また、装填検知センサ１０４は、一旦保留箱の後端に当接可能に支持フレーム８６に設けられ、一旦保留箱が所定位置に装着された際、一旦保留箱により押されてオンとなり、一旦保留箱の装着を検知する。一旦保留箱が抜き取られている場合、装填検知センサ１０４はオフとなり、一旦保留箱が引き出されたことを検知し、誤動作を防止する。
【００４５】
図４に示すように、底蓋開閉機構８８の駆動モータ９３は、モータ制御回路１１４を介してＣＰＵ２００に接続され、ＣＰＵ２００の制御の下、モータ制御回路により駆動される。また、開閉検知センサ９８ａ、９８ｂ、エンド検知センサ１１０ａ、１１０ｂ、ニアエンド検知センサ１１２ａ、１１２ｂ、装填検知センサ１０４は、検知回路１１６を介してＣＰＵ２００に接続され、検出信号をＣＰＵ２００に送る。２つの表示灯１０６ａ、１０６ｂは、表示制御回路２２１により、点灯制御される。
【００４６】
次に、上記のように構成された改札機１００において、券媒体、例えば、乗車券、特急券等の磁気券媒体が投入口２に投入された場合の処理について説明する。  
図１４に示すように、利用者が券媒体を投入口２から改札機１００内に挿入すると、ＣＰＵ２００は、通過センサ５４からの出力信号に基づき、券媒体を検出し、投入が確認されると（ＳＴ１）、シャッタ１７を閉じて投入口２を閉塞する（ＳＴ２）。続いて、ＣＰＵ２００は、読取り部６の読取りを禁止する（ＳＴ３）とともに、複数のモータを駆動して券媒体を搬送する（ＳＴ４）。挿入された券媒体は、整列部３２にて所定の姿勢に整位され（ＳＴ５）、その後、磁気処理部３３で券媒体の情報を読み取り（ＳＴ６）、更に、券媒体の表裏を判定する（ＳＴ７）。
【００４７】
裏と判定された場合、ＣＰＵ２００は、振分けゲート５５を駆動して券媒体を反転ポケット２９に搬送し、その後、反転ポケット２９を駆動して券媒体を主搬送路に戻し、表裏反転する（ＳＴ８）。表と判定された場合、券媒体はそのままの状態で後段の磁気処理部３３に搬送される。
【００４８】
ＣＰＵ２００は券媒体の移動を停止し、券媒体を一時的に保留する（ＳＴ９）。ＣＰＵ２００は、券媒体から読取った情報に基づいて、改札機１００を通過可能であるか否かの通過判定をする（ＳＴ１０）。通過判定許可の場合、ＣＰＵ２００はドア１６を開放して（ＳＴ１１）利用者の通過を許容し、表示部５に案内を表示するとともに券媒体の保留を解除し搬送を開始する（ＳＴ１２）。ＣＰＵ２００は、通過判定結果に伴い、券媒体に情報を印刷する必要があるか否か判断し（ＳＴ１３）、必要な場合は、印刷部３７のサーマルヘッド２７により、所望の情報を券媒体の券面に印字する（ＳＴ１４）。
【００４９】
その後、ＣＰＵ２００は、券媒体を排出口に放出するか、集札して回収するか判断し（ＳＴ１５）、集札する場合、第１振分けゲート５７を駆動して券媒体を集札部４０に搬送する（ＳＴ１６）。この時、確実に集札されたかどうかはセンサにより検知する。その後、モータを停止する（ＳＴ１７）。
【００５０】
ＳＴ１５において、券媒体を放出する場合、第１振分けゲート５７により券媒体を集積放出部４２へ搬送し放出口３から放出する（ＳＴ１８）。更に、ＣＰＵ２００は、モータを停止した後（ＳＴ１９）、通過センサ５４の信号出力に基づいて券媒体が放出口３から抜き取られたか否かを検知し（ＳＴ２０）、抜き取られている場合には、通過検知器９の信号出力に基づいて、利用者が改札機から外に出たか否かを判断する（ＳＴ２１）。利用者の出場が確認された場合は、処理を終了する。
【００５１】
ＳＴ２０において、券媒体が放出口３から抜き取られず、放出口に残っている場合、ＣＰＵ２００は搬送機構を駆動して券媒体を放出口３から第３振分けゲート５３および第３集札路８１を通して、別集積箱８５に回収する（ＳＴ２２）。
【００５２】
ＳＴ３６において通過判定が不可となった場合、ＣＰＵ２００は、ドア１６を閉じて（ＳＴ２３）利用者の通過を禁止し、券媒体の保留を解除して搬送を開始する（ＳＴ２４）とともに表示灯４を点灯させる（ＳＴ２５）。更に、ＣＰＵ２００は、スピーカ７により通過判定ＮＧの内容を音声にて利用者に案内する（ＳＴ２６）とともに、表示部５に通過判定ＮＧの内容を表示する（ＳＴ２７）。以後、ＳＴ１８に続き、券媒体を放出口３へ放出する。
【００５３】
その後、ＣＰＵ２００は、通過検知器９の出力信号に基づき、利用者が改札機１００の外に出たか否かを検知し（ＳＴ２１）、出ている場合には、表示灯４を消灯、音声案内終了、表示部５への案内表示終了、ドア１６を開放、シャッタ１７を開放、読取り部６による読取り許可を順次行う。以後、改札機は、次の利用者の待機状態となる。
【００５４】
一方、上述した券媒体の集札処理について詳細に説明する。図１５Ａ、図１５Ｂに示すように、改札機１００の電源がオンされると（ＳＴ１）、ＣＰＵ２００は、開閉機構８８により第１一旦保留箱８２ａ（Ａ）の底蓋を開放し、第１一旦保留箱内に収納されていた券媒体を集札箱３８内に投下し、第１一旦保留箱８２ａを空にする（ＳＴ２）。同様に、ＣＰＵ２００は、開閉機構８８を作動させて、第２一旦保留箱８２ｂ（Ｂ）を空にする（ＳＴ３）。次いで、ＣＰＵ２００は、表示灯１０６ａ（Ａ）および表示灯１０６ｂ（Ｂ）を消灯する（ＳＴ４）。
【００５５】
ＣＰＵ２００は、券媒体を集札する一旦保留箱を決定する（ＳＴ５）。ここでは、例えば、第１一旦保留箱８２ａを指定の一旦保留箱とする。この状態で、券媒体の受付を開始し（ＳＴ６）、ＣＰＵ２００は、第１一旦保留箱８２ａの使用を示す表示灯１０６ａを点灯し（ＳＴ７）、更に、第２振分けゲート５９を、券媒体を第１集札路８０ａへ送る向きに設定する（ＳＴ８）。ＣＰＵ２００は、この状態で、券媒体の集札を継続し、その間、ＣＰＵ２００は、装填検知センサ１０４からの信号に基づき、第１あるいは第２一旦保留箱８２ａ、８２ｂが抜き取られたか否かを監視する（ＳＴ９）。一旦保留箱が抜き取られることなく装填状態に維持されている場合、ＣＰＵ２００は、第１一旦保留箱８２ａのエンド検知センサ１１０ａ、１１０ｂにより満杯検知を行い（ＳＴ９）、第１一旦保留箱内の券媒体の収納状態を監視する。そして、ＣＰＵ２００は、エンド検知センサ１１０ａ、１１０ｂにより満杯が検知されるまで、第１一旦保留箱８２ａへの券媒体の集札を継続する。
【００５６】
エンド検知センサ１１０ａ、１１０ｂにより満杯が検知されると、ＣＰＵ２００は、次の券媒体から第２一旦保留箱８２ｂに収納することを決定し（ＳＴ１１）、その後、開閉機構８８により第２一旦保留箱８２ｂ（Ｂ）の底蓋を開放して第２一旦保留箱８２ｂを空にする（ＳＴ１２）。次いで、ＣＰＵ２００は、表示灯１０６ａ（Ａ）および表示灯１０６ｂ（Ｂ）を消灯した後（ＳＴ１３）、第２一旦保留箱８２ｂの使用を示す表示灯１０６ｂを点灯する（ＳＴ１４）。また、ＣＰＵ２００は、第２振分けゲート５９を、券媒体を第２集札路８０ｂへ送る向きに設定する（ＳＴ１５）。
【００５７】
ＣＰＵ２００は、この状態で、券媒体の集札を継続し、その間、ＣＰＵ２００は、装填検知センサ１０４からの信号に基づき、第１あるいは第２一旦保留箱８２ａ、８２ｂが抜き取られたか否かを監視する（ＳＴ１６）。一旦保留箱が抜き取られることなく装填状態に維持されている場合、ＣＰＵ２００は、第２一旦保留箱８２ｂのエンド検知センサ１１０ａ、１１０ｂにより満杯検知を行い（ＳＴ１７）、第２一旦保留箱内の券媒体の収納状態を監視する。そして、エンド検知センサ１１０ａ、１１０ｂにより満杯が検知されるまで、第２一旦保留箱８２ｂへの券媒体の集札を継続する。
【００５８】
ＳＴ１７において、エンド検知センサ１１０ａ、１１０ｂにより満杯が検知されると、ＣＰＵ２００は、次の券媒体から第１一旦保留箱８２ａに収納することを決定し（ＳＴ１８）、その後、開閉機構８８により第１一旦保留箱８２ａ（Ａ）の底蓋を開放して第１一旦保留箱８２ａを空にする（ＳＴ１９）。次いで、ＣＰＵ２００は、表示灯１０６ａ（Ａ）および表示灯１０６ｂ（Ｂ）を消灯した後（ＳＴ２０）、ＳＴ７に戻り、ＳＴ７ないしＳＴ２０を繰り返す。
【００５９】
一方、集札処理の継続中に一旦保留箱が引き出された場合、例えば、ＳＴ９において、集札に使用中の第１一旦保留箱８２ａが支持フレームから引き出された場合、ＣＰＵ２００は、装填検知センサ１０４からの検知信号に基づいて一旦保留箱８２ａの抜き取りを検知し、表示灯１０６ａ、１０６ｂを消灯する（ＳＴ２１）とともに、装置の運転を停止する（ＳＴ２２）。続いて、ＣＰＵ２００は、装填検知センサ１０４の検出信号に基づいて、一旦保留箱８２ａが再装着されたか否かを監視する（ＳＴ２３）。
【００６０】
第１保留箱８２ａの再装填が検知されると、ＣＰＵ２００は、エンド検知センサ１１０ａ、１１０ｂおよびニアエンド検知センサ１１２ａ、１１２ｂにより、第１一旦保留箱８２ａ内の券媒体の収納状態および第２一旦保留箱８２ｂ内の券媒体の収納状態を確認する（ＳＴ２４）。そして、ＣＰＵ２００は、エンド検知センサおよびニアエンド検知センサの検知結果に基づく券媒体の収納状態に応じて、再セット後に券媒体を収納する一旦保留箱を決定する（ＳＴ２５）。
【００６１】
収納先の一旦保留箱は、例えば、図１６に示す設定条件に従って決定する。ここでは、一旦保留箱を抜き取る前に使用している第１一旦保留箱Ａを優先保留箱とし、再セット後は、第１一旦保留箱Ａに決定する。すなわち、図１６に示すように、第１一旦保留箱Ａの券媒体収納状態がニアエンド検知が明、エンド検知が明の場合、すなわち、まだ充分に収納可能な状態である場合、並びに、第１一旦保留箱Ａの券媒体収納状態がニアエンド検知が暗、エンド検知が明の場合、すなわち、満杯までまだ余裕がある場合、第２一旦保留箱Ｂの券媒体収納状態がどのような状態であっても、収納先として第１一旦保留箱Ａを選定する。
【００６２】
通常、一旦保留箱が抜き取られる前に使用していた第１一旦保留箱Ａだけが抜き取られるため、抜き取られた時点で、第１一旦保留箱Ａが満杯の状態となっていることは殆どない。しかし、一旦保留箱が抜き取られる前に使用していた第１一旦保留箱Ａのエンド検知が暗で満杯が検知された場合、以下のようにすることができる。
【００６３】
例えば、第１および第２一旦保留箱の双方が引き抜かれ、元の場所ではなく逆に再セットされ、あるいは、駅係員により一旦保留箱に収納していた券媒体が取り出され、収納状態が変化する等が考えられる。そのため、エンド検知センサおよびニアエンド検知センサの検知状態により収納先の一旦保留箱を選定する。満杯でない一旦収納箱を選定する、あるいは、抜き取られる前に使用していた一旦保留箱が満杯であるため、この一旦保留箱を空にしてから収納する。双方の一旦保留箱が満杯のときは、どちらかの一旦保留箱を空にして収納する。双方の一旦保留箱を空にして、どちらかの一旦保留箱を選定することも可能である。
【００６４】
ここでは、図１６に示すように、第１一旦保留箱Ａのエンド検知が暗で満杯が検知された場合、第２一旦保留箱Ｂも満杯（エンド検知が暗）であると、ＣＰＵ２００は、第２一旦保留箱Ｂを空にした後、第２一旦保留箱Ｂを選定し、再セット後、第２一旦保留箱Ｂに券媒体を収納する、あるいは、第１一旦保留箱Ａを空にした後、第１一旦保留箱Ａを選定し、再セット後、第１一旦保留箱Ａに券媒体を収納する。また、第２一旦保留箱Ｂのニアエンド検知が暗、エンド検知が明であると、ＣＰＵ２００は、第２一旦保留箱Ｂを選定し、あるいは、第１一旦保留箱Ａを空にした後に第１一旦保留箱Ａを選定する。第２一旦保留箱Ｂのニアエンド検知が明、エンド検知が明であると、ＣＰＵ２００は、第２一旦保留箱Ｂを選定し、あるいは、第１一旦保留箱Ａを空にした後に第１一旦保留箱Ａを選定する。
【００６５】
図１６に示すように、第１一旦保留箱Ａのエンド検知が明、ニアエンド検知が暗の場合、および、第１一旦保留箱Ａのエンド検知が明、ニアエンド検知が明の場合、第２一旦保留箱Ｂの収納状態がいずれの場合でも、ＣＰＵ２００は、第１一旦保留箱Ａを優先的に選定し、再セット後、第１一旦保留箱Ａに券媒体を収納する。
【００６６】
上記のように、一旦保留箱の再装填後に収納する一旦保留箱を決定すると（ＳＴ２５）、図１５に示すように、ＣＰＵ２００は、装置停止を解除して運転を再開する（ＳＴ２６）。ＣＰＵ２００は、券媒体の受付を開始し（ＳＴ２７）、更に、次の券媒体を収納する一旦保留箱が第１一旦保留箱８２ａ（Ａ）であるか否かを判断する（ＳＴ２８）。決定された一旦保留箱が第１一旦保留箱Ａであると、ＣＰＵ２００は、ＳＴ７に進み、ＳＴ８ないしＳＴ２０を繰り返し実施する。
【００６７】
また、ＳＴ２８において、決定された一旦保留箱が第１一旦保留箱Ａでない場合、すなわち、第２一旦保留箱Ｂである場合、ＣＰＵ２００は、ＳＴ１４に進み、ＳＴ１５ないしＳＴ２０を繰り返し実施する。  
上述した集札処理中において、例えば、ＳＴ１６において、一旦保留箱が支持フレームから引き出された場合、ＣＰＵ２００は、前述したＳＴ２１ないしＳＴ２８を実行する。
【００６８】
一旦保留箱の再セット後の券媒体収納先設定条件は、図１６に示した設定条件（１）に限らず、図１７に示す設定条件（２）を用いてもよい。  
すなわち、一旦保留箱が抜き取られる前に収納していた一旦保留箱を無視して、エンド検知とニアエンド検知の状態によって一旦保留箱を選定する。例えば、保留枚数が多い方の一旦保留箱、あるいは少ない方の一旦保留箱を選定し収納する。図１７に示すように、第１および第２一旦保留箱８２ａ（Ａ）、８２ｂ（Ｂ）が双方ともに満杯の場合（エンド検知が暗）、いずれか一方の一旦保有箱を空とした後、その一旦保留を選定し次の券媒体を収納する。一方の一旦保留箱が満杯で他方の一旦保留箱に空きがある場合、他方の一旦保留箱を選定し、次の券媒体を収納する。エンド検知およびニアエンド検知が２つの一旦保留箱で同等な場合、例えば、双方の一旦保留箱ともにエンド検知明、ニアエンド検知暗の場合、抜き取られる前に使用していた一旦保留箱を選定し、次の券媒体を収納する。また、第１および第２一旦保留箱Ａ、Ｂで空き状態が異なる場合、放流枚数が多い方の一旦保留箱を選定し、次の券媒体を収納する。
【００６９】
このように、集札部４０は、片方の一旦保留箱が満杯になった時点で、他方の一旦保留箱に切り換えて券媒体を収納し、両方の一旦保留箱が満杯になった時点で、先の一旦保留箱、すなわち、古い券媒体を収納している一旦保留箱から券媒体を集札箱３８内に投下して集札箱に集積する。これにより、集札した最新の券媒体を第１および第２一旦保留箱に残し、古い券媒体から順に、集札箱３８に移すように処理する。第１および第２一旦保留箱８２ａ、８２ｂ内に積層状態で収納された券媒体を、積層状態のまま、集札箱３８内に投下して集積する。また、例えば、旅客に返却する回収券を検索する目的で、集札処理中に一旦保留箱が引き抜かれた場合、改札機は、一旦、装置の運転を停止し、再び一旦保留箱が装着された際、各一旦保留箱の券媒体収納状態を検知し、この収納状態に応じて、次に券媒体を収納する一旦保留箱を選定し、券媒体の収納を開始する。
【００７０】
以上のように構成された改札機１００によれば、集札部４０において、２つの一旦保留箱８２ａ、８２ｂは、並列に配置されているため、大容量の一旦保留箱を用いた場合でも集札部全体を小型にすることが可能となる。２つの一旦保留箱が集札箱の真上に配置され、交互に券媒体を集札箱に投下させるため、券媒体を集札箱内に均等に集積することができ、集札箱における券媒体の収納枚数を増やすことが可能となる。これにより、小型の集札箱であってもの充分な集札量を確保することができ、また、集札箱の大きさが同等であれば、より多くの券媒体を集積可能となる。
【００７１】
第１および第２一旦保留箱を備えることにより、券媒体の検索が容易となる。一旦保留箱に最新の券媒体を一次保留しておくことにより、券媒体取り忘れの利用者が券を取りに来た場合等、第１あるいは第２一旦保留箱から容易に券媒体を検索することができる。これにより、駅員の負担を軽減することができるとともに、利用者の検索待ち時間を短縮しサービス向上を図ることが可能となる。例えば、旅客に返却する回収券を検索する目的で、集札処理中に一旦保留箱が引き抜かれた場合、改札機は、一旦、装置の運転を停止し、再び一旦保留箱が装着された際、エンド検知センサおよびニアエンド検知センサにより各一旦保留箱の券媒体収納状態を検知し、この収納状態に応じて、再稼動時に券媒体を収納する一旦保留箱を選定し、券媒体の収納を開始する。これにより、一旦保留箱の中に回収券媒体を残した状態でも、あるいは、再装填前と券媒体の収納状態が変化している場合でも、障害を生じることなく装置の再稼動が可能となる。  
以上のことから、大型化することなく集札券の収納枚数を増加可能であるとともに、集札券の検索が容易な改札機、および改札機の集札処理方法が得られる。
【００７２】
次に、他の実施形態に係る改札機について説明する。券媒体の集札処理は、エンド検知センサによる収納量の検知に限らず、センサにより収納枚数をカウントするようにしてもよい。また、一旦保留箱の再装填後、第１および第２一旦保留箱をリセットし、すなわち、空にし、その後、集札処理を継続するようにしてもよい。
【００７３】
図１８Ａ、図１８Ｂは、他の実施形態に係る改札機の集札処理動作を示している。なお、改札機の他の構成は、前述した第１の実施形態と同一であり、異なる部分について詳細に説明する。他の実施形態によれば、券媒体の集札処理は、以下のように行う。図１８Ａ、図１８Ｂに示すように、改札機１００の電源がオンされると（ＳＴ１）、ＣＰＵ２００は、開閉機構８８により第１一旦保留箱８２ａ（Ａ）の底蓋を開放し、第１一旦保留箱内に収納されていた券媒体を集札箱３８内に投下し、第１一旦保留箱８２ａを空にする（ＳＴ２）。同様に、ＣＰＵ２００は、開閉機構８８を作動させて、第２一旦保留箱８２ｂ（Ｂ）を空にする（ＳＴ３）。次いで、ＣＰＵ２００は、表示灯１０６ａ（Ａ）および表示灯１０６ｂ（Ｂ）を消灯する（ＳＴ５）。
【００７４】
ＣＰＵ２００は、券媒体を集札する一旦保留箱を決定する（ＳＴ５）。ここでは、例えば、第１一旦保留箱８２ａを指定の一旦保留箱とする。この状態で、券媒体の受付を開始し（ＳＴ６）、ＣＰＵ２００は、第１一旦保留箱８２ａの使用を示す表示灯１０６ａを点灯し（ＳＴ７）、更に、第２振分けゲート５９を、券媒体を第１集札路８０ａへ送る向きに設定する（ＳＴ８）。続いて、ＣＰＵ２００は、第１一旦保留箱８２ａへの収納枚数カウントＸａをゼロにセットする（ＳＴ９）。次いで、ＣＰＵ２００は、装填検知センサ１０４からの信号に基づき、第１あるいは第２一旦保留箱８２ａ、８２ｂが抜き取られたか否かを監視する（ＳＴ１０）。一旦保留箱が抜き取られることなく装填状態に維持されている場合、ＣＰＵ２００は、券媒体が第１一旦保留箱８２ａへ送られる度に、通過センサ５４の検出信号に基づいて回収券媒体をカウントする（Ｘａ＝Ｘａ＋１）（ＳＴ１１）。
【００７５】
その後、ＣＰＵ２００は、カウント数Ｘａが所定の枚数Ｍ以上になったか比較し（ＳＴ１２）、Ｘａ＜Ｍの場合は、更に、第１一旦保留箱８２ａのエンド検知センサ１１０ａ、１１０ｂにより満杯検知を行い（ＳＴ１３）、保留箱内の券媒体の収納状態を監視する。そして、満杯が検知されていない場合、ＣＰＵ２００は、ＳＴ１０に戻り、収納枚数が所定枚数Ｍに達するまで、第１一旦保留箱８２ａへの券媒体の集札を継続する。
【００７６】
ＳＴ１２において、カウント枚数Ｘａが所定枚数Ｍ以上となった場合、ＣＰＵ２００は、次の券媒体から第２一旦保留箱８２ｂに収納することを決定し（ＳＴ１４）、その後、開閉機構８８により第２一旦保留箱８２ｂ（Ａ）の底蓋を開放して第２一旦保留箱８２ｂを空にする（ＳＴ１５）。また、ＳＴ１３において、カウント枚数が所定枚数Ｍに達する前においても、エンド検知センサ１１０ａ、１１０ｂにより満杯が検知されると、ＣＰＵ２００は、次の券媒体から第２一旦保留箱８２ｂに収納することを決定し（ＳＴ１４）、その後、開閉機構８８により第２一旦保留箱８２ｂ（Ａ）の底蓋を開放して第２一旦保留箱８２ｂを空にする（ＳＴ１５）。
【００７７】
次いで、ＣＰＵ２００は、表示灯１０６ａ（Ａ）および表示灯１０６ｂ（Ｂ）を消灯した後（ＳＴ１６）、第２一旦保留箱８２ｂの使用を示す表示灯１０６ｂを点灯する（ＳＴ１７）。また、ＣＰＵ２００は、第２振分けゲート５９を、券媒体を第２集札路８０ｂへ送る向きに設定する（ＳＴ１８）。続いて、ＣＰＵ２００は、第２一旦保留箱８２ｂへの収納枚数カウントＸｂをゼロにセットする（ＳＴ１９）。次いで、ＣＰＵ２００は、装填検知センサ１０４からの信号に基づき、第１あるいは第２一旦保留箱８２ａ、８２ｂが抜き取られたか否かを監視する（ＳＴ２０）。一旦保留箱が抜き取られることなく装填状態に維持されている場合、ＣＰＵ２００は、券媒体が第２一旦保留箱８２ｂへ送られる度に、通過センサ５４の検出信号に基づいてカウントする（Ｘｂ＝Ｘｂ＋１）（ＳＴ２１）。
【００７８】
また、ＣＰＵ２００は、カウント数Ｘｂが所定の枚数Ｍ以上になったか比較し（ＳＴ２２）、Ｘａ＜Ｍの場合は、更に、第２一旦保留箱８２ｂのエンド検知センサ１１０ａ、１１０ｂにより満杯検知を行い（ＳＴ２３）、保留箱内の券媒体の収納状態を監視する。そして、満杯が検知されていない場合、ＣＰＵ２００は、ＳＴ２０に戻り、カウント枚数Ｘｂが所定枚数Ｍに達するまで、第２一旦保留箱８２ｂへの券媒体の集札を継続する。
【００７９】
ＳＴ２２において、カウント枚数Ｘｂが所定枚数Ｍ以上となった場合、ＣＰＵ２００は、次の券媒体から第１一旦保留箱８２ａに収納することを決定し（ＳＴ２４）、その後、開閉機構８８により第１一旦保留箱８２ａ（Ａ）の底蓋を開放して第１一旦保留箱８２ａを空にする（ＳＴ２４）。また、ＳＴ２２において、カウント枚数が所定枚数Ｍに達する前においても、エンド検知センサ１１０ａ、１１０ｂにより満杯が検知されると、ＣＰＵ２００は、次の券媒体から第１一旦保留箱８２ａに収納することを決定し（ＳＴ２４）、その後、開閉機構８８により第１一旦保留箱８２ａ（Ａ）の底蓋を開放して第１一旦保留箱８２ａを空にする（ＳＴ２５）。次いで、ＣＰＵ２００は、表示灯１０６ａ（Ａ）および表示灯１０６ｂ（Ｂ）を消灯した後（ＳＴ２６）、ＳＴ７に戻り、ＳＴ７ないしＳＴ２６を繰り返す。
【００８０】
一方、集札処理の継続中に一旦保留箱が引き出された場合、例えば、ＳＴ１０あるいはＳＴ２０において、第１あるいは第２一旦保留箱Ａ、Ｂが支持フレームから引き出された場合、ＣＰＵ２００は、装填検知センサ１０４からの検知信号に基づいて一旦保留箱の抜き取りを検知し、表示灯１０６ａ、１０６ｂを消灯する（ＳＴ２７）とともに、装置の運転を停止する（ＳＴ２８）。続いて、ＣＰＵ２００は、装填検知センサ１０４の検出信号に基づいて、一旦保留箱が再装着されたか否かを監視する（ＳＴ２９）。
【００８１】
一旦保留箱の再装填が検知されると、ＣＰＵ２００は、装置停止を解除して運転を再開する（ＳＴ２６）。ＣＰＵ２００は、ＳＴ２に戻り、第１一旦保留箱８２ａを空にし、更に、第２一旦保留箱８２ｂを空にし（ＳＴ３）、第１および第２一旦保留箱をリセットする。その後、ＣＰＵ２００は、ＳＴ４ないしＳＴ２６を繰り返し、集札処理を継続する。
【００８２】
以上のように構成された改札機においても、券媒体の集札処理において、一旦保留箱の再装填後、障害を生じることなく装置の再稼動を行い、集札処理を継続することができる。
【００８３】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８４】
１…機器本体、５…表示部、６…読取り装置、３８…集札箱、４０…集札部、
５４…通過センサ、５７…第１振分けゲート、５９…第２振分けゲート、
８０ａ…第１集札路、８０ｂ…第２集札路、８２ａ…第１一旦保留箱、
８２ｂ…第２一旦保留箱、８４ａ…第１ガイドシュート、
８４ｂ…第２ガイドシュート、８８…開閉機構、１０６ａ、１０６ｂ…表示灯、
１１０ａ、１１０ｂ…エンド検知センサ、１１２ａ、１１２ｂ…ニアエンドセンサ、
２００…ＣＰＵ
【図１】
2014127039.tif 000003
【図２】
2014127039.tif 000004
【図３】
2014127039.tif 000005
【図４】
2014127039.tif 000006
【図５】
2014127039.tif 000007
【図６】
2014127039.tif 000008
【図７】
2014127039.tif 000009
【図８】
2014127039.tif 000010
【図９】
2014127039.tif 000011
【図１０】
2014127039.tif 000012
【図１１】
2014127039.tif 000013
【図１２】
2014127039.tif 000014
【図１３】
2014127039.tif 000015
【図１４】
2014127039.tif 000016
【図１５Ａ】
2014127039.tif 000017
【図１５Ｂ】
2014127039.tif 000018
【図１６】
2014127039.tif 000019
【図１７】
2014127039.tif 000020
【図１８Ａ】
2014127039.tif 000021
【図１８Ｂ】
2014127039.tif 000022